【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
ａ）式（Ｉ）
【化１】
2008510053.tif 000001
［式中、
Ｒ1は、１ないし４個の炭素原子を有するアルキル基を表わし；
ｎは、１ないし４の整数を表わし；
Ｒ2は、Ｈを表わすか又はＲ3の意味を有し；
Ｒ3は、−（ＣＨ2）x−ＣＯＯＲ4（式中、ｘは１ないし１０を表わし；
Ｒ4は、１ないし２４個の炭素原子を有する直鎖又は枝分かれ鎖のアルキル基又は部分式Ｅで表わされる基を表わす。）を表わし；
ｎが１を表わす場合、Ｅは１ないし２４個の炭素原子を有する直鎖又は枝分かれ鎖のアルキル基を表わし；
ｎが２を表わす場合、Ｅは２ないし１２個の炭素原子を有する直鎖又は枝分かれ鎖のアルキレン基又は１ないし５個のＯ原子又はＳ原子によって中断された前記アルキレン基を表わし；
ｎが３を表わす場合、Ｅは３ないし６個の炭素原子を有する直鎖又は枝分かれ鎖のアルカントリイル基を表わし；
ｎが４を表わす場合、Ｅはペンタエリトリチル基を表わす。］で表わされる少なくとも１種のヒンダードフェノール系抗酸化剤化合物；
ｂ）少なくとも１種の更なる抗酸化剤化合物；及び、
ｃ）基油
を含む潤滑油組成物。
【請求項２】
前記成分ａ）が、
ジメチルα−（３，５−ジ−第三ブチル−４−ヒドロキシベンジル）グルタレート、
ジイソオクチルα−（３，５−ジ−第三ブチル−４−ヒドロキシベンジル）グルタレート、及び
モノメチル−モノイソオクチルα−（３，５−ジ−第三ブチル−４−ヒドロキシベンジル）グルタレート、
からなる群から選択される式（Ｉ）で表わされるヒンダードフェノール系抗酸化剤化合物を含む請求項１に記載の組成物。
【請求項３】
成分ｂ）のフェノール系抗酸化剤化合物が、
ｎ−オクタデシル３，５−ジ−第三ブチル−４−ヒドロキシヒドロシンナメート、
イソオクチル３，５−ジ−第三ブチル−４−ヒドロキシヒドロシンナメート、
ネオペンタンテトライルテトラキス（３，５−ジ−第三ブチル−４−ヒドロキシヒドロシンナメート）、
１，３，５−トリス（３，５−ジ−第三ブチル−４−ヒドロキシベンジル）イソシアヌレート、
チオジエチレンビス（３，５−ジ−第三ブチル−４−ヒドロキシヒドロシンナメート）、
１，３，５−トリメチル−２，４，６−トリス（３，５−ジ−第三ブチル−４−ヒドロキシベンジル）ベンゼン、
３，６−ジオキサオクタメチレンビス（３−メチル−５−第三ブチル−４−ヒドロキシヒドロシンナメート）、
２，６−ジ−第三ブチル−ｐ−クレゾール、
２，２’−エチリデン−ビス（４，６−ジ−第三ブチルフェノール）、
１，３，５−トリス（２，６−ジメチル−４−第三ブチル−３−ヒドロキシベンジル）イソシアヌレート、
１，１，３−トリス（２−メチル−４−ヒドロキシ−５−第三ブチルフェニル）ブタン、
１，３，５−トリス［２−（３，５−ジ−第三ブチル−４−ヒドロキシヒドロシンナモイルオキシ）エチル］イソシアヌレート、
３，５−ジ−（３，５−ジ−第三ブチル−４−ヒドロキシベンジル）メシトール、
ヘキサメチレンビス（３，５−ジ−第三ブチル−４−ヒドロキシヒドロシンナメート）、
１−（３，５−ジ−第三ブチル−４−ヒドロキシアニリノ）−３，５−ジ（オクチルチオ）−ｓ−トリアジン、
Ｎ，Ｎ’−ヘキサメチレン−ビス（３，５−ジ−第三ブチル−４−ヒドロキシヒドロシンナムアミド）、
カルシウムビス（エチル３，５−ジ−第三ブチル−４−ヒドロキシベンジル−ホスホネート）、
エチレンビス［３，３−ジ（３−第三ブチル−４−ヒドロキシフェニル）ブチレート］、
オクチル３，５−ジ−第三ブチル−４−ヒドロキシベンジルメルカプトアセテート、
ビス（３，５−ジ−第三ブチル−４−ヒドロキシヒドロシンナモイル）ヒドラジド、
Ｎ，Ｎ’−ビス［２−（３，５−ジ−第三ブチル−４−ヒドロキシヒドロシンナモイルオキシ）−エチル］オキサミド、
２，６−ジ−第三ブチルフェノール、
２，４−ジ−第三ブチルフェノール、
メチル３，５−ジ−第三ブチル−４−ヒドロキシヒドロシンナメート、
ペンタエリトリトールトリス（３，５−ジ−第三ブチル−４−ヒドロキシヒドロシンナメート）、
ペンタエリトリトールジ（３，５−ジ−第三ブチル−４−ヒドロキシヒドロシンナメート）、
トリス（２，４−ジ−第三ブチルフェニル）ホスフィット、
ジ−ｎ−オクタデシル３，５−ジ−第三ブチル−４−ヒドロキシベンジルホスホネート、
Ｎ，Ｎ−ジ−（炭素原子数１４ないし２４のアルキル）−Ｎ−メチルアミンオキシド、
Ｎ，Ｎ−ジアルキルヒドロキシルアミン及び
Ｎ，Ｎ−ジ（水素化牛脂）ヒドロキシルアミン、
からなる群から選択される請求項１に記載の組成物。
【請求項４】
成分ｂ）のフェノール系抗酸化剤化合物が、
ｎ−オクタデシル３，５−ジ−第三ブチル−４−ヒドロキシヒドロシンナメート、
イソオクチル３，５−ジ−第三ブチル−４−ヒドロキシヒドロシンナメート、
ネオペンタンテトライルテトラキス（３，５−ジ−第三ブチル−４−ヒドロキシヒドロシンナメート）、
チオジエチレンビス（３，５−ジ−第三ブチル−４−ヒドロキシヒドロシンナメート）、
２，２’−エチリデン−ビス（４，６−ジ−第三ブチルフェノール）、
１，１，３−トリス（２−メチル−４−ヒドロキシ−５−第三ブチルフェニル）ブタン、
ヘキサメチレンビス（３，５−ジ−第三ブチル−４−ヒドロキシヒドロシンナメート）、
Ｎ，Ｎ’−ヘキサメチレン−ビス（３，５−ジ−第三ブチル−４−ヒドロキシヒドロシンナムアミド）、
エチレンビス［３，３−ジ（３−第三ブチル−４−ヒドロキシフェニル）ブチレート］、
ビス（３，５−ジ−第三ブチル−４−ヒドロキシヒドロシンナモイル）ヒドラジド、
２，６−ジ−第三ブチルフェノール、
２，４−ジ−第三ブチルフェノール、
メチル  ３，５−ジ−第三ブチル−４−ヒドロキシヒドロシンナメート、
ペンタエリトリトールトリス（３，５−ジ−第三ブチル−４−ヒドロキシヒドロシンナメート）、
ペンタエリトリトールジ（３，５−ジ−第三ブチル−４−ヒドロキシヒドロシンナメート）、及び
トリス（２，４−ジ−第三ブチルフェニル）ホスフィット、
からなる群から選択される請求項１に記載の組成物。
【請求項５】
成分ｂ）のフェノール系抗酸化剤化合物が、
ｎ−オクタデシル３，５−ジ−第三ブチル−４−ヒドロキシヒドロシンナメート、
イソオクチル３，５−ジ−第三ブチル−４−ヒドロキシヒドロシンナメート、
ネオペンタンテトライルテトラキス（３，５−ジ−第三ブチル−４−ヒドロキシヒドロシンナメート）、
チオジエチレンビス（３，５−ジ−第三ブチル−４−ヒドロキシヒドロシンナメート）、
２，６−ジ−第三ブチルフェノール、
２，４−ジ−第三ブチルフェノール、
メチル３，５−ジ−第三ブチル−４−ヒドロキシヒドロシンナメート、
ペンタエリトリトールトリス（３，５−ジ−第三ブチル−４−ヒドロキシヒドロシンナメート）、
ペンタエリトリトールジ（３，５−ジ−第三ブチル−４−ヒドロキシヒドロシンナメート）、及び
トリス（２，４−ジ−第三ブチルフェニル）ホスフィット、
からなる群から選択される請求項１に記載の組成物。
【請求項６】
ａ）式中、Ｒ1、Ｒ2、Ｒ3、Ｒ4及びＥが請求項１で定義した通りである式（Ｉ）で表わされる少なくとも１種のヒンダードフェノール系抗酸化剤化合物；及び、
ｂ）少なくとも１種の更なる抗酸化剤化合物
の混合物を含む抗酸化剤組成物。